(57)【特許請求の範囲】
【請求項１】
プロジェクターを天井面に吊り下げる天吊り装置であって、
前記天井面に固定される第１プレートと、
前記第１プレートと共に前記天井面に設置され、前記第１プレートに係着されるとともに、前記天井面に対する法線方向に形成される第１回動軸を中心に回転して調整される第２プレートと、
前記第２プレートに係着されるとともに、前記プロジェクターが画像光を投写する方向に形成される第２回動軸を中心に回転して調整される第３プレートと、
前記プロジェクターに固定され、前記第３プレートに係着されるとともに、前記第１回動軸および前記第２回動軸に直交する方向に形成される第３回動軸を中心に回転して調整される第４プレートと、
を備え、
前記第１プレートは、前記第１回動軸に直交する第１プレート本体と、前記第１プレート本体に前記第１回動軸と平行に形成される第１片部と、前記第１片部に前記第１回動軸に略垂直となるように設置される第１ネジ部材とを有し、
前記第２プレートは、前記第１回動軸に直交する第２プレート本体と、前記第２プレート本体に前記第１回動軸と平行に形成されるとともに、前記第１片部に対向して形成される第２片部とを有し、
前記第２プレートは、前記第１ネジ部材が前記第２片部に突き当てられて回動することにより前記第１回動軸を中心とする調整が行われ、
前記第２片部は、前記第３プレートを第２ネジ部材で係合することにより前記第２回動軸を形成することを特徴とする天吊り装置。
【請求項２】
請求項１に記載の天吊り装置であって、
前記第１プレートおよび前記第２プレートは、円筒部と、当該円筒部を挿通させて当該円筒部の外周を摺動する第１開口部と、の異なる一方を互いに備えることにより、前記第１回動軸を形成することを特徴とする天吊り装置。
【請求項３】
請求項２に記載の天吊り装置であって、
前記第３プレートは、前記第１開口部に相対する領域に第２開口部を備え、
前記円筒部、前記第１開口部、および前記第２開口部は、前記プロジェクターに接続されるケーブルが挿通されることを特徴とする天吊り装置。
【請求項４】
請求項１〜請求項３のいずれか一項に記載の天吊り装置であって、
前記第３プレートおよび前記第４プレートは、前記第１回動軸および前記第２回動軸に直交する方向に設置される支軸と、当該支軸を保持する保持部と、の異なる一方を互いに備えることにより、前記第３回動軸を形成することを特徴とする天吊り装置。
【請求項５】
請求項４に記載の天吊り装置であって、
前記保持部を備える前記第３プレートおよび前記第４プレートのいずれか一方のプレートは、前記支軸を前記保持部に案内する案内部を備えていることを特徴とする天吊り装置。
【請求項６】
請求項４に記載の天吊り装置であって、
前記保持部を備える前記第３プレートおよび前記第４プレートのいずれか一方のプレートは、前記保持部に保持される前記支軸の位置を確認可能とする開口部を備えていることを特徴とする天吊り装置。
【請求項７】
請求項１〜請求項６のいずれか一項に記載の天吊り装置であって、
前記天井面と、前記第４プレートに固定される前記プロジェクターとの間には、前記第１プレートと前記第２プレートと前記第３プレートとの側面を覆うカバー部材が設置されていることを特徴とする天吊り装置。
【請求項８】
請求項１〜請求項７のいずれか一項に記載の天吊り装置であって、
前記第２プレートおよび前記第３プレートのいずれか一方のプレートは、前記第２回動軸に略垂直となるように設置される第２ネジ部材を備え、
前記第２回動軸を中心とする調整は、前記一方のプレートに設置された前記第２ネジ部材を他方のプレートに突き当てて回動することにより行われることを特徴とする天吊り装置。
【請求項９】
請求項１〜請求項８のいずれか一項に記載の天吊り装置であって、
前記第２プレートおよび前記第３プレートを固定するネジ部材を備え、
前記第２プレートおよび前記第３プレートのいずれか一方のプレートは、前記第２回動軸に略平行に形成されて前記ネジ部材と螺合する螺合部を備え、他方のプレートは、前記第２回動軸を中心に同心円状に形成されて前記ネジ部材を案内する長孔部を備えていることを特徴とする天吊り装置。
【請求項１０】
請求項１〜請求項９のいずれか一項に記載の天吊り装置であって、
前記第３プレートおよび前記第４プレートのいずれか一方のプレートは、前記第３回動軸に略垂直となるように設置される第３ネジ部材を備え、
前記第３回動軸を中心とする調整は、前記一方のプレートに設置された前記第３ネジ部材を他方のプレートに突き当てて回動することにより行われることを特徴とする天吊り装置。
【請求項１１】
請求項１〜請求項１０のいずれか一項に記載の天吊り装置であって、
前記第３プレートおよび前記第４プレートを固定するネジ部材を備え、
前記第３プレートおよび前記第４プレートのいずれか一方のプレートは、前記第３回動軸に略平行に形成されて前記ネジ部材と螺合する螺合部を備え、他方のプレートは、前記第３回動軸を中心に同心円状に形成されて前記ネジ部材を案内する長孔部を備えていることを特徴とする天吊り装置。
【発明の詳細な説明】
【技術分野】
【０００１】
本発明は、プロジェクター用の天吊り装置に関する。
【背景技術】
【０００２】
従来、プロジェクター用の天吊り装置は、天井等に設置されて、プロジェクターを固定することにより、プロジェクターからの画像光を、壁面に設置されたスクリーンや、起立式のスクリーン等に投写させている。また、天吊り装置は、市場の要望等から、目立たせないように構成されている。そのため、天吊り装置は、プロジェクターを天井面に極力近づける構造としている。
【０００３】
特許文献１では、ビデオプロジェクターの固定装置として、ビデオプロジェクターを固定支持する支持体に対して取り付け可能な固定側部材と、ビデオプロジェクター本体を取り付ける本体側部材を備え、固定側部材と本体側部材の間に介装される姿勢変更機構により、固定側部材に対して本体側部材の取り付け姿勢を変更して固定できるビデオプロジェクター固定装置で、姿勢変更機構が、固定側部材と本体側部材のいずれか一方の部材に連結固定されたボールと他方の部材に連結固定された被押圧部材、および、ボールを被押圧部材に押し付けて固定する押圧部材を備え、かつ押圧部材を押し付け操作するための操作レバーが設けられていることが開示されている。
【０００４】
特許文献２では、天吊り装置として、一対の案内部と案内部の端部に形成される一対の第１保持部とを有する第１基板と、案内部に対して両端近傍を掛着して摺動し、第１保持部に回動自在に保持される第１保持部材を有してプロジェクターを保持する第２基板と、を備えることが開示されている。
【０００５】
特許文献３では、吊下装置として、本体底部の前端部左右に卓上における高さ調整用の脚部を装備する機器と、同機器を天井に吊下げるための吊下金具とからなり、吊下金具は前端部左右に挿着部を設け、後端部左右に支持部を設けてなり、天井に吊下げる際、吊下金具を天井に取付け、挿着部に脚部を挿着し、支持部に本体底部の後端部左右を回動可能に支持させるとともに、脚部により俯角を調整することが開示されている。
【先行技術文献】
【特許文献】
【０００６】
【特許文献１】特開２００５−１７２９３５号公報
【特許文献２】特開２０１１−１３２６７号公報
【特許文献３】特開２００４−３４７８３５号公報
【発明の概要】
【発明が解決しようとする課題】
【０００７】
特許文献１のビデオプロジェクターの固定装置は、ボールを用いてプロジェクターの位置を調整するが、微調整がし難いという課題がある。また、調整後に、操作レバーでボールを固定する際、調整位置がズレ易く、投写画像が動いてしまうという課題がある。特許文献２の天吊り装置は、水平方向、ロール方向（左右方向）、上下方向の３軸が調整可能となっている。しかし、プロジェクターの位置調整と、調整後のネジ締めによる固定を行う場合、プロジェクターを手で支えながら行うことが必要なため、調整に手間を要し、また、微調整がし難いという課題がある。特許文献３の吊下装置は、高さ調整用の脚部を用いて機器の俯角を調整する構造であるが、高さ調整用の脚部を有する機器専用となり、汎用性がないという課題がある。また、調整は１軸（俯角）のみであり、調整軸数が少ないという課題がある。
【０００８】
従って、プロジェクターの位置（姿勢）に対し、水平方向、左右方向、上下方向の微調整が容易で確実に行え、プロジェクターの着脱が省スペースでできると共に、薄型化が可能な天吊り装置が要望されていた。
【課題を解決するための手段】
【０００９】
本発明は、上述した課題の少なくとも一部を解決するためになされたものであり、以下の形態または適用例として実現することが可能である。
【００１０】
［適用例１］本適用例に係る天吊り装置は、プロジェクター用の天吊り装置であって、（ａ）天井面に固定される第１プレートと、（ｂ）第１プレートと共に天井面に設置され、第１プレートに係着されて上下方向に回動軸を有する第１回動軸を形成し、第１回動軸を中心に水平方向の調整を行う第２プレートと、（ｃ）第２プレートに係着されて前後方向に回動軸を有する第２回動軸を形成し、第２回動軸を中心に左右方向の調整を行う第３プレートと、（ｄ）プロジェクターを固定し、第３プレートに係着されて左右方向に回動軸を有する第３回動軸を形成し、第３回動軸を中心に上下方向の調整を行う第４プレートと、を備えていることを特徴とする。
【００１１】
このような天吊り装置によれば、第１プレートから第４プレートまでの４つのプレートによりプロジェクターを天井面に設置する。また、第１プレートと第２プレートは、天井面に設置される。そして、第２プレートは、第１プレートに係着されて上下方向に回動軸を有して形成される第１回動軸を中心に水平方向の調整を行う。また、第３プレートは、第２プレートに係着されて前後方向に回動軸を有して形成される第２回動軸を中心に左右方向の調整を行う。第４プレートは、プロジェクターを固定し、第３プレートに係着されて左右方向に回動軸を有して形成される第３回動軸を中心に上下方向の調整を行う。
【００１２】
このように、第１プレートから第４プレートまでの４つのプレートがそれぞれ係着して天吊り装置が構成されることにより、天吊り装置の薄型化を実現することができる。また、第１プレートと第２プレートとの係着で水平方向の調整を行い、第２プレートと第３プレートとの係着で左右方向の調整を行い、第３プレートと第４プレートとの係着で上下方向の調整を行う。従って、プロジェクターの位置（姿勢）に対し、水平方向、左右方向、上下方向の微調整を容易で確実に行うことができる。
【００１３】
［適用例２］上記適用例に係る天吊り装置において、第１プレートおよび第２プレートは、円筒部と、円筒部を挿通させて円筒部の外周を摺動する開口部と、の異なる一方を互いに備えることにより、第１回動軸を形成することが好ましい。
【００１４】
このような天吊り装置によれば、第１プレートおよび第２プレートは、円筒部と開口部と、の異なる一方を互いに備えて第１回動軸を形成する。これにより、第１回動軸を容易に形成することができる。
【００１５】
［適用例３］上記適用例に係る天吊り装置において、第３プレートは、第２プレートとのネジ部材の係合により、第２回動軸を形成することが好ましい。
【００１６】
このような天吊り装置によれば、第３プレートは、第２プレートとのネジ部材の係合により、第２回動軸を形成することで、第２回動軸を容易に形成することができる。
【００１７】
［適用例４］上記適用例に係る天吊り装置において、第３プレートおよび第４プレートは、左右方向に設置される支軸と、支軸を保持する保持部と、の異なる一方を互いに備えることにより、第３回動軸を形成することが好ましい。
【００１８】
このような天吊り装置によれば、第３プレートおよび第４プレートは、支軸と保持部と、の異なる一方を互いに備えて第３回動軸を形成する。これにより、第３回動軸を容易に形成することができる。また、支軸を保持部に保持させることにより、例えば、プロジェクターを固定する第４プレートを、容易にまた確実に、第３プレートに保持させることができる。また、逆に、第４プレートを第３プレートから容易にまた確実に、取り外すことができる。
【００１９】
［適用例５］上記適用例に係る天吊り装置において、保持部を備える第３プレートおよび第４プレートのいずれか一方のプレートは、支軸を保持部に案内する案内部を備えていることが好ましい。
【００２０】
このような天吊り装置によれば、案内部を利用して、支軸を保持部に案内することができるため、更に容易にまた確実に、支軸を保持部に保持させることができる。
【００２１】
［適用例６］上記適用例に係る天吊り装置において、保持部を備える第３プレートおよび第４プレートのいずれか一方のプレートは、保持部に保持される支軸の位置を確認可能とする開口部を備えていることが好ましい。
【００２２】
このような天吊り装置によれば、天井面とプロジェクターとの隙間が狭くなる薄型の天吊り装置を使用した場合、例えば、プロジェクターを固定する第４プレートに備える支軸を、第３プレートに備える保持部に保持させる場合には、目隠し状態で作業を行うことになる。このような状況でも、保持部を備えるプレート（例えば第３プレート）に開口部を備えることにより、保持部に支軸が適正に位置しているか否かを容易に確認することができる。これにより、目隠し状態で支軸を保持部に保持させる作業を行っても、支軸が適正に保持部に保持されているか否かを目視で確認できるため、プロジェクターを保持部に確実に保持させることができ、天吊り装置の安全性を向上させることができる。
【００２３】
［適用例７］上記適用例に係る天吊り装置において、第１プレートおよび第２プレートのいずれか一方のプレートは、第１回動軸に略垂直となるように設置される第１ネジ部材を備え、水平方向の調整は、一方のプレートに設置された第１ネジ部材を他方のプレートに突き当てて回動することにより行われることが好ましい。
【００２４】
このような天吊り装置によれば、第１回動軸を中心として、一方のプレートに設置された第１ネジ部材を、他方のプレートに突き当てて回動することにより、水平方向の調整を行うことができる、このように、第１ネジ部材の回動量で調整を行うことにより、水平方向の微調整を実現することができる。また、第１ネジ部材を他方のプレートに突き当てているため、調整後の位置ズレを防止して固定することができる。
【００２５】
［適用例８］上記適用例に係る天吊り装置において、第２プレートおよび第３プレートのいずれか一方のプレートは、第２回動軸を中心とする左右方向で、第２回動軸に略垂直となるように設置される第２ネジ部材を備え、左右方向の調整は、一方のプレートに設置された第２ネジ部材を他方のプレートに突き当てて回動することにより行われることが好ましい。
【００２６】
このような天吊り装置によれば、第２回動軸を中心として、一方のプレートの左右方向に設置された第２ネジ部材を、他方のプレートに突き当てて回動することにより、左右方向の調整を行うことができる、このように、第２ネジ部材の回動量で調整を行うことにより、左右方向の微調整を実現することができる。また、第２ネジ部材を他方のプレートに突き当てているため、調整後の位置ズレを防止して固定することができる。
【００２７】
［適用例９］上記適用例に係る天吊り装置において、第２プレートおよび第３プレートを固定するネジ部材を備え、第２プレートおよび第３プレートのいずれか一方のプレートは、第２回動軸に略並行に形成されてネジ部材と螺合する螺合部を備え、他方のプレートは、第２回動軸を中心に同心円状に形成されてネジ部材を案内する長孔部を備えていることが好ましい。
【００２８】
このような天吊り装置によれば、第２ネジ部材により第２回動軸を中心として左右方向の調整を行う際、ネジ部材を緩めることにより、第２プレート（または第３プレート）に対して第３プレート（または第２プレート）を左右方向に回動可能とさせることができ、また、左右方向の調整終了後に、ネジ部材を締め付けることにより、第２プレートと第３プレートとを確実に固定させることができる。なお、ネジ部材を緩めることにより、第２ネジ部材による微調整前に、大まかな左右方向の調整を行うことができる。また、調整終了後のネジ部材による締め付けは、他方のプレートに第２ネジ部材を突き当てていることにより、調整後の位置ズレを防止するため、位置ズレを気にせずに容易に行うことができる。
【００２９】
［適用例１０］上記適用例に係る天吊り装置において、第３プレートおよび第４プレートのいずれか一方のプレートは、第３回動軸に略垂直となるように設置される第３ネジ部材を備え、上下方向の調整は、一方のプレートに設置された第３ネジ部材を他方のプレートに突き当てて回動することにより行われることが好ましい。
【００３０】
このような天吊り装置によれば、第３回動軸を中心として、一方のプレートに設置された第３ネジ部材を、他方のプレートに突き当てて回動することにより、上下方向の調整を行うことができる、このように、第３ネジ部材の回動量で調整を行うことにより、上下方向の微調整を実現することができる。また、第３ネジ部材を他方のプレートに突き当てているため、調整後の位置ズレを防止して固定することができる。
【００３１】
［適用例１１］上記適用例に係る天吊り装置において、第３プレートおよび第４プレートを固定するネジ部材を備え、第３プレートおよび第４プレートのいずれか一方のプレートは、第３回動軸に略並行に形成されてネジ部材と螺合する螺合部を備え、他方のプレートは、第３回動軸を中心に同心円状に形成されてネジ部材を案内する長孔部を備えていることが好ましい。
【００３２】
このような天吊り装置によれば、第３ネジ部材により第３回動軸を中心として上下方向の調整を行う際、ネジ部材を緩めることにより、第３プレート（または第４プレート）に対して第４プレート（または第３プレート）を上下方向に回動可能とさせることができ、また、上下方向の調整終了後に、ネジ部材を締め付けることにより、第３プレートと第４プレートとを確実に固定させることができる。なお、ネジ部材を緩めることにより、第３ネジ部材による微調整前に、大まかな上下方向の調整を行うことができる。また、調整終了後のネジ部材による締め付けは、他方のプレートに第３ネジ部材を突き当てていることにより、調整後の位置ズレを防止するため、位置ズレを気にせずに容易に行うことができる。
【図面の簡単な説明】
【００３３】
【図１】実施形態に係る天吊り装置を用いてプロジェクターを天井面に固定した状態を示す図。
【図２】天吊り装置を示す図。
【図３】カバー部材を設置する前の天吊り装置を示す図。
【図４】天吊り装置の分解図。
【図５】天吊り装置の分解図。
【図６】第１プレートと第２プレートとを天井面に設置した斜視図。
【図７】第３プレートを第２プレートに設置する場合の設置方法を示す斜視図。
【図８】プロジェクターを固定した第４プレートを第３プレートに設置する場合の設置方法を示す斜視図。
【図９】プロジェクターの設置位置に対する上下方向の調整方法を示す図。
【図１０】プロジェクターの設置位置に対する水平方向の調整方法を示す図。
【図１１】プロジェクターの設置位置に対する左右方向の調整方法を示す図。
【図１２】カバー部材を第２プレートに設置する方法を示す斜視図。
【発明を実施するための形態】
【００３４】
以下、実施形態を図面に基づいて説明する。
（実施形態）
【００３５】
図１は、実施形態に係る天吊り装置１を用いてプロジェクター７を天井面Ｓに固定した状態を示す図であり、図１（ａ）は、天吊り装置１を前方向から見た正面図であり、図１（ｂ）は、天吊り装置１を左方向から見た側面図である。図１を参照して、本実施形態の天吊り装置１を説明する。
【００３６】
本実施形態の天吊り装置１は、図１に示すように、プロジェクター７を天井面Ｓに吊り下げる装置である。また、天吊り装置１は、吊り下げたプロジェクター７の取り付け位置（姿勢）を調整し、スクリーン（図示省略）の所定の位置に、投写される画像の位置を合わせる装置である。
【００３７】
本実施形態のプロジェクター７は、光源（図示省略）から射出された光束を、画像信号に基づき、光変調素子（図示省略）で変調して光学像を形成し、形成した光学像を、投写レンズ７０２を介して画像光としてスクリーン等に投写する装置である。
【００３８】
なお、本実施形態を説明する図面（図１および以降で説明する図）において、天井面Ｓの法線方向をＺ方向（上下方向）として、重力方向を−Ｚ方向（下方向）、重力方向とは逆方向を＋Ｚ方向（上方向）とする。また、Ｚ方向に直交し、プロジェクター７の投写レンズ７０２が画像光を投写する方向をＸ方向（前後方向）として、スクリーンが設置される方向を＋Ｘ方向（前方向）、逆方向を−Ｘ方向（後方向）とする。また、Ｚ方向（上下方向）とＸ方向（前後方向）とに直交する方向をＹ方向（左右方向）として、図１（ａ）に示す正面から見たプロジェクター７に向き合い、左手方向を−Ｙ方向（左方向）、右手方向を＋Ｙ方向（右方向）とする。なお、方向を表すＸ（左右），Ｙ（前後），Ｚ（上下）は、以降の説明において適宜使用する。
【００３９】
プロジェクター７は、略直方体形状の外装筺体７０１で覆われている。外装筺体７０１内部には、上述した光変調素子等を収容する光学ユニット（図示省略）や、プロジェクター７の動作制御を行う制御部を含む回路構成部（図示省略）等を備えている。
【００４０】
プロジェクター７は、机上面に設置して使用される場合の姿勢に対して、天井面Ｓに設置（天吊り）して使用される場合には、上面７ａと下面７ｂとが逆転した姿勢で天吊り装置１に設置される。詳細には、プロジェクター７の下面７ｂが上側（上面７ａが下側）となり、下面７ｂに設置されている天吊り用の脚部７０７が天吊り装置１の第４プレート４０とネジ固定されることで、天吊り装置１に固定される。また、天吊り装置１は、プロジェクター７の下面７ｂの略中央を保持し固定する。
【００４１】
なお、プロジェクター７の上面７ａには、操作入力を行うスイッチ部（図示省略）等が設置されている。プロジェクター７の前面７ｃには、中央に投写レンズ７０２が設置されている。投写レンズ７０２から射出される画像光は、前方向に設置されたスクリーンに向かって投写される。
【００４２】
また、プロジェクター７が天吊りされた状態において、投写レンズ７０２の右側には、吸気口７０３が設置され、左側には、排気口７０４が設置されている。また、前面７ｃおよび後面７ｄには、リモートコントローラー（リモコン）からの操作信号を受信する信号受信部（図示省略）が設置されている。プロジェクター７の後面７ｄには、インターフェイス部７０５が備えられ、各種ケーブルＣが接続されている。
【００４３】
なお、本実施形態では、天吊り装置１を設置する前の状態において、インターフェイス部７０５に接続する各種ケーブルＣは、天井内部を経由して、天井面Ｓに開口された開口部（図示省略）から延出し、下方向（−Ｚ方向）に垂れ下がった状態としている。この状態で、天吊り装置１は、天井面Ｓの開口部に合わせて設置される。また、開口部から垂れ下がっている各種ケーブルＣは、天吊り装置１内部を挿通させた後、インターフェイス部７０５に接続される。なお、天吊り装置１内部でのケーブルＣの引き回しに関しての詳細は後述する。
【００４４】
図２は、天吊り装置１を示す図であり、図２（ａ）は、天吊り装置１を天井面Ｓ側（＋Ｚ方向）から見た斜視図であり、図２（ｂ）は、天吊り装置１を前方向（＋Ｘ方向）から見た正面図であり、図２（ｃ）は、天吊り装置１を左方向（−Ｙ方向）から見た側面図である。図３は、カバー部材６０を設置する前の天吊り装置１を示す図であり、図３（ａ）は、天吊り装置１を天井面Ｓ側（＋Ｚ方向）から見た斜視図であり、図３（ｂ）は、天吊り装置１を前方向（＋Ｘ方向）から見た正面図であり、図３（ｃ）は、天吊り装置１を左方向（−Ｙ方向）から見た側面図である。図２、図３を参照して、本実施形態の天吊り装置１の外観的構成を説明する。
【００４５】
図２に示すように、天吊り装置１は、第１プレート１０、第２プレート２０、第３プレート３０、および第４プレート４０の４つのプレートと、カバー部材６０等により構成されている。また、４つのプレートは、略矩形状をなし、それぞれ金属板金の曲げ加工等により形成されている。
【００４６】
天吊り装置１は、第１プレート１０、第２プレート２０、第３プレート３０が天井面Ｓ側に設置され、プロジェクター７を固定した第４プレート４０を第３プレート３０に引掛ける（係着する）構成となっている。なお、詳細は後述するが、第１プレート１０と第２プレート２０は、天井面Ｓに設置される。そして、第２プレート２０は第１プレート１０と係着する。また、第３プレート３０は第２プレート２０と係着する。そして、第４プレート４０が第３プレート３０に係着する。
【００４７】
そして、天吊り装置１は、詳細は後述するが、第１プレート１０に対して後述する第１回動軸Ａ１（図４、図６参照）を中心に第２プレート２０を回動することで水平方向（ＸＹ平面方向）の調整を行う。また、第２プレート２０に対して後述する第２回動軸Ａ２（図４、図７（ｂ）参照）を中心に第３プレート３０を回動することで左右方向（ＹＺ平面方向）の調整を行う。また、第３プレート３０に対して後述する第３回動軸Ａ３（図４参照）を中心に第４プレート４０を回動することで上下方向（ＸＺ平面方向）の調整を行う。
【００４８】
天吊り装置１は、第１プレート１０から、プロジェクター７を固定した第４プレート４０までをそれぞれ組み立てた後、プロジェクター７の位置調整を行う構成となっている。そして、天吊り装置１は、位置調整完了後、図２に示すように、第１プレート１０から第３プレート３０までの４方向の側面を覆うように、カバー部材６０を設置する構成となっている。なお、カバー部材６０に関しての詳細は後述する。
【００４９】
図４、図５は、天吊り装置１の分解図である。詳細には、図４は、第１プレート１０から第３プレート３０、およびカバー部材６０を示す分解図である。図５は、第４プレート４０と、プロジェクター７との分解図である。図５では、天吊り装置１（第４プレート４０）に固定されるプロジェクター７も図示している。
【００５０】
図６は、第１プレート１０と第２プレート２０とを天井面Ｓに設置した斜視図である。なお、図６は、円筒部１０２と第１開口部２０２との係合（係着）関係を示す断面と、当接部１０９の周辺を示す断面とを併せて、拡大図Ｇとして図示している。図７は、第３プレート３０を第２プレート２０に設置（係着）する場合の設置方法を示す斜視図であり、図７（ａ）は、第３プレート３０を第２プレート２０に設置（係着）する途中の状態を示す斜視図であり、図７（ｂ）は、第３プレート３０を第２プレート２０に設置（係着）した状態を示す斜視図である。
図４〜図７を参照して、天吊り装置１の構成と設置方法を説明する。
【００５１】
図４、図５に示すように、天吊り装置１は、４つのプレート（第１プレート１０、第２プレート２０、第３プレート３０、第４プレート４０）で構成されている。また、前述したように、第１プレート１０、第２プレート２０、第３プレート３０が天井面Ｓ側に設置され、プロジェクター７を固定した第４プレート４０を第３プレート３０に引掛ける（係着する）構成となっている。
【００５２】
図４に示すように、第１プレート１０は、天井面Ｓに設置され、天吊り装置１のベースとなる部材である。第１プレート１０は、板金の曲げ加工等で略矩形状に構成されている。第１プレート１０は、矩形状の第１プレート本体１０１の中央部に、下方向（−Ｚ方向）に円筒状に突出する円筒部１０２が形成されている。なお、本実施形態の円筒部１０２は、バーリング加工により形成されている。また、第１プレート本体１０１には、円筒部１０２を中心としてその周囲に、円筒部１０２の中心を同心円の中心として同心円状に形成される長孔状の各種の貫通孔１０３が、所定のピッチで複数形成されている。
【００５３】
また、図４に示すように、第１プレート本体１０１の４つのコーナー部近傍には、プレス加工によって下方向（−Ｚ方向）に一段下がって形成される当接部１０９がそれぞれ１つ形成されている。そして、４つの当接部１０９、詳細には、当接部１０９の端面１０９ｂ（図６の拡大図Ｇ参照）は、第１プレート１０が第２プレート２０と係合する際に、第２プレート２０の上面２０１ａに当接する。
【００５４】
また、図４に示すように、第１プレート１０は、第１プレート本体１０１の４つのコーナー部で、前後方向（Ｘ軸方向）には、下方向（−Ｚ方向）に曲折された４つの片部１０４（前方向の片部１０４ａ、後方向の片部１０４ｂ）が形成されている。この片部１０４のうち、前方向（＋Ｘ方向）となる２つの片部１０４ａには、ネジ孔１０５が１つずつ形成されている。ネジ孔１０５は、後述する第１回動軸Ａ１（図６参照）に略垂直となる向きに形成されている。
【００５５】
図４に示すように、第２プレート２０は、第１プレート１０に重ねられて、天井面Ｓに固定される部材である。また、第２プレート２０は、第１プレート１０と共に、プロジェクター７の姿勢における水平方向の微調整を行う部材である。
【００５６】
図４に示すように、第２プレート２０は、板金の曲げ加工等で略矩形状に構成されている。第２プレート２０は、矩形状の第２プレート本体２０１の中央部に、円形状に開口する第１開口部２０２が形成されている。第１開口部２０２は、第１プレート１０の円筒部１０２に相対して形成されている。
【００５７】
第２プレート本体２０１には、第１開口部２０２を中心としてその周囲に、第１開口部２０２の中心を同心円の中心として同心円状に形成される長孔状の各種の貫通孔２０３が、所定のピッチで複数形成されている。貫通孔２０３は、第１プレート１０の貫通孔１０３に相対して形成されている。
【００５８】
また、第２プレート２０は、第２プレート本体２０１の前後方向（Ｘ軸方向）の端部に、下方向（−Ｚ方向）に曲折された２つの片部２０４が形成されている。この２つの片部２０４（前方向の片部２０４ａ、後方向の片部２０４ｂ）には、第１開口部２０２の中心を通りＸＺ平面上に略一致する中央部に孔部２０５が形成されている。また、孔部２０５に対応する２つの片部２０４の内面側には、図６、図７（ａ）に示すように、ネジ切りされたナット２０６がそれぞれ溶接されている。
【００５９】
また、２つの片部２０４には、孔部２０５を中心として左右方向に略対称に、ネジ孔２０７がそれぞれ形成されている。図４、図６に示すように、前方向の片部２０４ａには、ネジ孔２０７ａが形成され、後方向の片部２０４ｂには、ネジ孔２０７ｂが形成される。なお、図７（ａ）に示すように、後方向の片部２０４ｂのネジ孔２０７ｂには、円柱状のネジ頭を有するネジ部材ＳＣ１が後方向から螺合された状態となっている。
【００６０】
なお、前方向の片部２０４ａのネジ孔２０７ａは、螺合部を構成している。そして、ネジ孔２０７ａには、左右方向の調整を行う際に使用される後述するネジ部材ＳＣ３（図７（ｂ）参照）が螺合される。なお、ネジ部材ＳＣ３と、螺合部としてのネジ孔２０７ａは、後述する第２回動軸Ａ２（図７（ｂ）参照）に略平行に設置される。
【００６１】
また、図４に示すように、第２プレート本体２０１の左右方向（Ｙ軸方向）の端部で、前後方向（Ｘ軸方向）には、第２プレート本体２０１から面方向に延出した後、下方向（−Ｚ方向）に曲折された２つの片部２０８がそれぞれ形成されている。この片部２０８には、それぞれネジ孔２０９が１つずつ形成されている。この片部２０８とネジ孔２０９は、後述するカバー部材６０を固定する固定部を構成している。
【００６２】
次に、図６を参照して、第１プレート１０と第２プレート２０との天井面Ｓへの設置方法に関して説明する。
【００６３】
図６は、天吊り装置１を下方向から見上げる状態の斜視図であり、天井面Ｓの図示は省いている。図６に示すように、第１プレート１０は、第１プレート本体１０１の上面１０１ａを天井面Ｓに接触させて設置される。なお、第１プレート１０を設置する前の天井面Ｓには開口部（図示省略）が形成されており、天井内部を経由してきた各種のケーブルＣが、この開口部から下方向に垂れ下がった状態となっている。
【００６４】
第１プレート１０を天井面Ｓに設置する場合、最初に、図６に示すように、第２プレート２０を第１プレート１０の内側に重ね合わせる。その際、第２プレート２０の第１開口部２０２は、第１プレート１０の円筒部１０２を挿通させることにより、円筒部１０２の外周を摺動可能とする。なお、円筒部１０２と第１開口部２０２とが摺動可能に係合（係着）することで、上下方向（Ｚ軸方向）に回動軸を有する第１回動軸Ａ１が形成される。
【００６５】
次に、開口部から垂れ下がったケーブルＣを、図６に示すように、円筒部１０２と第１開口部２０２とに挿通する。そして、第１プレート本体１０１の前方向端部に形成される切り欠き部１０８を前方向（＋Ｘ方向）に向ける。そして、第１プレート１０の円筒部１０２を天井面Ｓの開口部に合わせるようにして、第１プレート本体１０１の上面１０１ａを天井面Ｓに接触させて設置する。
【００６６】
設置（固定）は、本実施形態では、開口部の周りの天井面Ｓに埋め込まれて天井面Ｓから延出しているアンカーボルトＢ１を用いて設置する。詳細には、最初に、アンカーボルトＢ１の位置に対応する第１プレート１０の貫通孔１０３と、貫通孔１０３に対応する第２プレート２０の貫通孔２０３とに、アンカーボルトＢ１を挿通する。次に、第２プレート本体２０１の下面２０１ｂ側からナットＮ１をアンカーボルトＢ１に螺合させて締め付け、第１プレート１０と第２プレート２０とを天井面ＳにナットＮ１で挟み込むことで固定する。
【００６７】
次に、第１プレート１０の２つの片部１０４ａに形成されるそれぞれのネジ孔１０５に、第１ネジ部材１０６をそれぞれ螺合させ、第１ネジ部材１０６のネジ先端部を対向する第２プレート２０の前方向の片部２０４ａに突き当てた状態とさせる。この、第１ネジ部材１０６は、水平方向の調整を行う際に使用される。また、第１ネジ部材１０６は、ネジ孔１０５に螺合させた場合、第１回動軸Ａ１に略垂直となる向きに螺合する。なお、第１ネジ部材１０６は、本実施形態では、六角穴付きボルトを使用している。
【００６８】
第１プレート１０と第２プレート２０とが天井面Ｓに設置された場合、図６の拡大図Ｇに示すように、４つの当接部１０９の端面１０９ｂは、それぞれ第２プレート２０の上面２０１ａに当接する。そして、円筒部１０２の先端面１０２ａは、第２プレート２０の下面２０１ｂと略同一の高さとなる。なお、水平方向の調整を行う際には、円筒部１０２の外周を第１開口部２０２が摺動し、また、第２プレート２０の上面２０１ａが当接部１０９の端面１０９ｂを摺動する。このような構成により、第１プレート１０と第２プレート２０とを重ねた場合にも、極力薄型化を図ると共に、係合および水平方向の調整を可能としている。
【００６９】
第３プレート３０は、第２プレート２０に係着され、また、第４プレート４０を係着する部材である。第３プレート３０は、図４に示すように、板金の曲げ加工等で略矩形状に構成されている。第３プレート３０は、矩形状の第３プレート本体３０１の中央部に、第２プレート２０の第１開口部２０２に相対する領域に、矩形状に開口する開口部３０２ａが形成されている。また、第３プレート本体３０１には、この開口部３０２ａに接続して、後方向に形成される半円形状の開口部３０２ｂが形成されている。
【００７０】
なお、開口部３０２ａと開口部３０２ｂは、第２開口部３０２を構成している。従って、第２開口部３０２は、第１開口部２０２に相対する領域に開口部３０２ａが形成され、また、後方向に偏って開口部３０２ｂが形成されている。なお、偏って形成された第２開口部３０２の後方向は、ケーブルＣが延出される側となる。
【００７１】
第３プレート３０は、開口部３０２ａの左右方向（Ｙ軸方向）の端部に、上方向（＋Ｚ方向）に曲折された片部３０４がそれぞれ形成されている。この２つの片部３０４の上端部には、後述する第４プレート４０の支軸４０４を保持する円弧形状の切り欠きを有する保持部３０５と、支軸４０４を保持部３０５に案内する案内部３０６がそれぞれ形成されている。なお、案内部３０６は、保持部３０５の後方向から保持部３０５に接続して形成されている。また、案内部３０６は、保持部３０５に向って下方向に下がるように傾斜して形成されている。
【００７２】
第３プレート３０は、第３プレート本体３０１の前後方向（Ｘ軸方向）の端部に、上方向（＋Ｚ方向）に曲折された２つの片部３０７が形成されている。この２つの片部３０７（前方向の片部３０７ａ、後方向の片部３０７ｂ）には、第２プレート２０の孔部２０５に相対する位置に、孔部３０８が形成されている。
【００７３】
２つの片部３０７には、孔部３０８を中心として左右方向に略対称に、また、孔部３０８を同心円の中心として同心円状に形成される長孔状の長孔部３０９がそれぞれ形成されている。詳細には、図４、図６に示すように、前方向の片部３０７ａには、長孔部３０９ａが形成され、後方向の片部３０７ｂには、長孔部３０９ｂが形成される。
【００７４】
長孔部３０９は、後述する第２回動軸Ａ２を中心に同心円状に形成されている。また、孔部３０８と長孔部３０９とは、第２プレート２０の孔部２０５とネジ孔２０７とに対応して形成されている。前方向の片部３０７ａに形成される長孔部３０９ａは、左右方向の調整を行う際に使用され、後述するネジ部材ＳＣ３を案内する。
【００７５】
第３プレート３０は、第３プレート本体３０１の左右方向（Ｙ軸方向）の端部に、上方向（＋Ｚ方向）に曲折された２つの片部３１０が形成されている。この２つの片部３１０には、片部３０４に有する円弧形状を有する保持部３０５の中心軸が片部３１０に交わる位置に丸形状の孔部３１１がそれぞれ形成されている。この孔部３１１は、保持部３０５に保持される後述する支軸４０４の位置を確認するための開口部として形成されている。また、２つの片部３１０には、孔部３１１を中心（保持部３０５の中心軸が片部３１０に交わる位置を中心）として、前後方向に対称にネジ孔３１２がそれぞれ形成されている。
【００７６】
片部３１０のネジ孔３１２は、螺合部を構成している。そして、ネジ孔３１２には、上下方向の調整を行う際に使用される後述するネジ部材ＳＣ４が螺合される。なお、ネジ部材ＳＣ４と、螺合部としてのネジ孔３１２は、後述する第３回動軸Ａ３に略平行に設置される。
【００７７】
第３プレート３０は、第３プレート本体３０１の前方向（＋Ｘ方向）の左右方向（Ｙ軸方向）のコーナー部に、ネジ孔３１３（図７（ｂ）参照）がそれぞれ形成されている。このネジ孔３１３には、第２ネジ部材３１５がそれぞれ螺合される。
【００７８】
第２ネジ部材３１５は、左右方向の調整を行う際に使用される部材である。第２ネジ部材３１５は、本実施形態では、ネジ加工されたネジ部３１６と、ネジ部３１６の一方の端部３１６ａ側に設置されてネジ部３１６を回動させるダイヤル部３１７とで構成されている。なお、ネジ部３１６の一方の端部３１６ａは、端面が曲面形状に形成されている。また、ダイヤル部３１７は、詳細には、ネジ部３１６の径より大きい径の円板状で、外周面が凹凸状に形成されている。
【００７９】
第２ネジ部材３１５は、第３プレート本体３０１の上方向（＋Ｚ方向）からネジ部３１６をネジ孔３１３に螺合させる。従って、ダイヤル部３１７は、第３プレート本体３０１の上方向（＋Ｚ方向）に位置する。そして、左右方向の調整を行う際には、このダイヤル部３１７を指先で回動させる。なお、第２ネジ部材３１５は、後述する第２回動軸Ａ２を中心とする左右方向で、第２回動軸Ａ２に略垂直となるように設置される。
【００８０】
第３プレート３０は、第３プレート本体３０１の前方向（＋Ｘ方向）で、片部３０７ａの内側の一部に、プレス加工を行い、上方向（＋Ｚ方向に）に隆起させた隆起部３２０が形成されている。この隆起部３２０の上部にネジ孔３２１が形成されている。このネジ孔３２１には、第３ネジ部材３２５が螺合される。
【００８１】
なお、第３ネジ部材３２５は、上下方向の調整を行う際に使用される部材である。第３ネジ部材３２５は、第２ネジ部材３１５と略同様に構成されている。詳細には、ネジ加工されたネジ部３２６と、ネジ部３２６の一方の端部３２６ａ側に設置されてネジ部３２６を回動させるダイヤル部３２７とで構成されている。なお、ネジ部３２６の一方の端部３２６ａは、端面が曲面形状に形成されている。
【００８２】
第３ネジ部材３２５は、第３プレート本体３０１の下方向（−Ｚ方向）からネジ部３２６をネジ孔３２１に螺合させる。従って、ダイヤル部３２７は、第３プレート本体３０１の下方向（−Ｚ方向）に位置する。そして、上下方向の調整を行う際には、このダイヤル部３２７を指先で回動させる。なお、第３ネジ部材３２５は、後述する第３回動軸Ａ３に略垂直となるように設置される。
【００８３】
次に、図７（ａ），（ｃ）を参照して、第３プレート３０を第２プレート２０に設置する設置方法に関して説明する。
【００８４】
第３プレート３０を第２プレート２０に設置する場合、最初に、図７（ａ）に示すように、第１プレート１０と第２プレート２０の円筒部１０２と第１開口部２０２を挿通させたケーブルＣを、第３プレート３０の第２開口部３０２に挿通させる。次に、第３プレート３０の第２ネジ部材３１５が設置される側を前方向（＋Ｘ方向）に向ける。そして、第２プレート２０の後方向の片部２０４ｂのネジ孔２０７ｂに螺合させた２つのネジ部材ＳＣ１のネジ頭に、図７（ａ）に矢印で示すように、第３プレート３０の後方向の片部３０７ｂに形成した２つの長孔部３０９ｂを引掛ける。
【００８５】
次に、第３プレート３０の孔部３０８を、第２プレート２０の孔部２０５に一致させ、孔部３０８および孔部２０５にネジ部材ＳＣ２を挿通させ、ネジ部材ＳＣ２を孔部２０５の内側に設置されるナット２０６にそれぞれ螺合させて固定する。孔部３０８および孔部２０５は貫通孔であり、第３プレート３０は、第２プレート２０に螺合して固定され、ネジ部材ＳＣ２を基準として回動可能となる。これにより、第３プレート３０は、第２プレート２０とのネジ部材ＳＣ２の係合（係着）により、前後方向（Ｘ方向）に回動軸を有する第２回動軸Ａ２が形成される。
【００８６】
次に、図７（ｂ）に示すように、第３プレート３０の長孔部３０９ａにそれぞれネジ部材ＳＣ３を挿通し、第２プレート２０のネジ孔２０７ａ（図６参照）に螺合させる。以上により、図７（ｂ）に示すように、第３プレート３０を第２プレート２０に設置することができる。
【００８７】
第４プレート４０は、プロジェクター７を固定し、第３プレート３０に係着する部材である。第４プレート４０は、図５に示すように、板金の曲げ加工等で略矩形状に構成されている。第４プレート４０は、矩形状の第４プレート本体４０１の中央部に、矩形状に開口する開口部４０２が形成されている。
【００８８】
第４プレート４０は、開口部４０２の左右方向（Ｙ軸方向）の端部に、上方向（＋Ｚ方向）に曲折された片部４０３がそれぞれ形成されている。この片部４０３の先端部には、左右方向（Ｙ軸方向）に軸を有し、円柱状に形成され、それぞれの片部４０３の外側に突出する支軸４０４が、それぞれ固着されている。この支軸４０４が、図４に示す、第３プレート３０の保持部３０５に回動可能に保持される。
【００８９】
また、開口部４０２の前後方向（Ｘ軸方向）の端部に、上方向（＋Ｚ方向）に曲折された片部４０５がそれぞれ形成されている。この片部４０５は、第４プレート４０の剛性を向上させる目的で形成されており、第４プレート本体４０１からの突出量は少なく形成されている。
【００９０】
第４プレート本体４０１には、開口部４０２の左右方向（Ｙ軸方向）で、切り起こし加工により、上方向（＋Ｚ方向）に曲折された片部４０６がそれぞれ形成されている。それぞれの片部４０６の中央部には、上端から下方に切り欠かれた切り欠き部４０７が形成されている。切り欠き部４０７は、左右方向でそれぞれの内側に位置する支軸４０４が左右方向から見た場合、視認できる大きさで形成されている。
【００９１】
２つの片部４０６には、支軸４０４を中心として前後方向に略対称に、また、支軸４０４を同心円の中心として同心円状に形成される長孔状の長孔部４０８が一対それぞれ形成されている。なお、長孔部４０８は、第３回動軸Ａ３を中心に同心円状に形成されている。また、第４プレート４０の長孔部４０８は、第３プレート３０のネジ孔３１２に対応している。また、長孔部４０８は、上下方向の調整を行う際に使用され、後述するネジ部材ＳＣ４を案内する。
【００９２】
第４プレート本体４０１には、４つのコーナー部に、複数の孔部４１０が、それぞれ形成されている。図５に示すように、プロジェクター７の下面７ｂに備える天吊り用の４つの脚部７０７に対応する孔部４１０に、上方向（＋Ｚ方向）からネジ部材ＳＣ５を挿通して、脚部７０７と螺合させて締め付けることにより、第４プレート４０にプロジェクター７を固定することができる。
【００９３】
第４プレート本体４０１には、前後方向（Ｘ軸方向）で、内側に入った部分に、上方向（＋Ｚ方向）に曲折された片部４１１がそれぞれ２ずつ形成されている。この片部４１１は、片部４０５と同様に、第４プレート４０の剛性を向上させる目的で形成されており、第４プレート本体４０１からの突出量は少なく形成されている。なお、この片部４１１は、後述する隙間確保部を構成している。
【００９４】
図８は、プロジェクター７を固定した第４プレート４０を第３プレート３０に設置（係着）する場合の設置方法を示す斜視図であり、図８（ａ）は、第４プレート４０を第３プレート３０の開口部３０２ａに挿入する状態の斜視図であり、図８（ｂ）は、支軸４０４を案内部３０６に案内させる状態の斜視図であり、図８（ｃ）は、支軸４０４を保持部３０５に保持させた状態の斜視図である。図８を参照して、第４プレート４０を第３プレート３０に設置する設置方法に関して説明する。
【００９５】
第４プレート４０を第３プレート３０に設置する場合、第４プレート４０に固定されたプロジェクター７を持ち上げて移動させることにより、第３プレート３０に設置する設置方法となる。最初に、図８（ａ）に示すように、第３プレート３０の第２開口部３０２から延出しているケーブルＣが、第４プレート４０の後方向（−Ｘ方向）となる状態で、第４プレート４０に固定したプロジェクター７を持ち上げていく。これにより、ケーブルＣは、第２開口部３０２の後側となる開口部３０２ｂと、第４プレート４０の後側の片部４１１との隙間から後方向（プロジェクター７の後面７ｄ側）に延出した状態となる。
【００９６】
プロジェクター７を持ち上げて、図８（ａ）に矢印で示すように、第４プレート４０の２つの片部４０３を、第３プレート３０の片部３０４の後方向となる開口部３０２ｂの領域に挿入する。次に、図８（ｂ）に示すように、第３プレート３０の開口部３０２ａに下方向から挿入した片部４０３に設置する支軸４０４を、前方向（＋Ｘ方向）に移動させ、第３プレート３０（片部３０４）の案内部３０６にそれぞれ載せる。次に、図８（ｂ）に矢印で示すように、支軸４０４を案内部３０６に沿って前方向に滑らせる。
【００９７】
支軸４０４を案内部３０６に沿って前方向に滑らせることにより、図８（ｃ）に示すように、支軸４０４が、保持部３０５にそれぞれ保持された状態となる。このように、保持部３０５に、支軸４０４を保持（係着）させることにより、左右方向（Ｙ軸と平行方向）に回動軸を有する第３回動軸Ａ３が形成される。
【００９８】
次に、図８（ｃ）、図３（ｃ）に示すように、第４プレート４０のそれぞれの長孔部４０８を、第３プレート３０のそれぞれ対応するネジ孔３１２（図７参照）に合わせ、長孔部４０８にそれぞれネジ部材ＳＣ４を挿通させて、ネジ部材ＳＣ４をネジ孔３１２に螺合して固定する。これにより、図８（ｃ）、図３（ｃ）に示すように、プロジェクター７を固定した第４プレート４０を第３プレート３０に設置することができる。
上述した第１プレート１０から第４プレート４０までの設置方法により、天吊り装置１を介して、プロジェクター７を天井面Ｓに固定することができる。
【００９９】
なお、支軸４０４を保持部３０５に保持させるまでの動作は、目隠し状態で行われる。このため、本実施形態では、支軸４０４が保持部３０５の適正な位置（支軸４０４の中心軸と保持部３０５の中心軸とが略一致する位置）に保持されているか否かを目視で確認できるように構成されている。
【０１００】
具体的には、天吊り装置１を構成する４つのプレートは金属製で、外面の色は黒色に加工されている。そして、２つの支軸４０４の外側の端面には、支軸４０４の中心軸に同心円で形成される白色の部材（図示省略）がそれぞれ貼着（または塗布）されている。そして、この白色の部材が、保持部３０５の中心軸の左右方向に形成される開口部としての孔部３１１（図４、図３（ｃ））を介して目視できるか否かを確認することで行われる。孔部３１１を介して白色の部材が確認できた場合には、支軸４０４は、保持部３０５の適正な位置に保持されていることになる。なお、孔部３１１の径は、白色の部材の径よりも小さく形成されている。
【０１０１】
この状態で、ケーブルＣは、第３プレート３０と第４プレート４０との後方向（−Ｘ方向）で、上下方向（Ｚ方向）の隙間から延出した状態となっている。詳細には、図８（ａ）、図３（ｃ）に示すように、第３プレート３０の第２開口部３０２の周辺となる第３プレート本体３０１と、第４プレート４０の片部４１１との隙間Ｄ（図３（ｃ）参照）から後方向（−Ｘ方向）に延出した状態となっている。なお、この隙間Ｄの領域が、隙間確保部となる。
【０１０２】
この状態のケーブルＣを、図１（ｂ）に示すように、後方向（−Ｘ方向）となるプロジェクター７の後面７ｄのインターフェイス部７０５に設置されるコネクト部７０６（図８（ａ）参照）に接続する。なお、ケーブルＣは、電源ケーブルの他、アナログＲＧＢケーブル、ビデオケーブル、ＤＶＩケーブル、ＨＤＭＩケーブル、ネットワークケーブル等、各種ケーブルが用いられ、映像機器、パソコン、またはネットワーク等に接続されている。
【０１０３】
次に、天吊り装置１に設置されたプロジェクター７の位置（姿勢）を調整する調整方法に関して説明する。
【０１０４】
本実施形態の天吊り装置１は、水平方向（ＸＹ平面方向）と、左右方向（ＹＺ平面方向）と、上下方向（ＸＺ平面方向）の調整を行うことができる。なお、調整を行う際は、プロジェクター７から映像を投写させて行う。そして、調整は、プロジェクター７から投写された投写映像の位置が、スクリーンに設定される投写位置と合致するように、プロジェクター７の位置（姿勢）を移動させて行う。
【０１０５】
図９は、プロジェクター７の設置位置（姿勢）に対する上下方向の調整方法を示す図であり、図９（ａ）は、天吊り装置１を左方向（−Ｙ方向）から見た側面図であり、図９（ｂ）は、天吊り装置１を前方向（＋Ｘ方向）から見た正面図であり、図９（ｃ）は、天吊り装置１を斜め前方向（＋Ｘ方向）から見た斜視図である。図９を参照して、上下方向の調整方法を説明する。
【０１０６】
最初に、図９（ａ）に示すように、第４プレート４０の左側面の２つのネジ部材ＳＣ４を回動して緩める。併せて、逆側（右側面）の２つのネジ部材ＳＣ４も緩める。次に、プロジェクター７を保持して上下方向（矢印Ａで示す）に移動させて、おおよその位置を合わせる。なお、後述する第３ネジ部材３２５で下方向に微調整を行うため、やや上側に合わせる。おおよその位置を合わせた後、４つのネジ部材ＳＣ４を締めて仮固定する。
【０１０７】
次に、図９（ｃ）に示すように、第３ネジ部材３２５のダイヤル部３２７を矢印で示すように回動させて、ネジ部３２６の一方の端部３２６ａ端面を、第４プレート本体４０１の上面４０１ａに突き当てる。そして、更に同方向に回動することにより、プロジェクター７を下方向（−Ｚ方向）に移動させる。
【０１０８】
なお、詳細には、第３ネジ部材３２５を回動して、第４プレート本体４０１の上面４０１ａに突き当てた後、更に同方向に回動することにより、第４プレート４０（プロジェクター７）を、第３回動軸Ａ３（図９（ｂ）に示す）を中心として、図９（ａ），（ｃ）に矢印Ｂで示すように、下方向（−Ｚ方向）に回転させて調整を行う。このように、上下方向の調整は、第３ネジ部材３２５の回動量により調整するため、微調整を行うことができる。本実施形態の第３ネジ部材３２５による上下方向の調整範囲は、約０°〜−８°としている。
【０１０９】
第３ネジ部材３２５を回動して、下方向の微調整を行うことで、上下方向の位置を合わせた後、４つのネジ部材ＳＣ４を締め付けて本固定する。なお、調整終了後のネジ部材ＳＣ４による締め付けは、第４プレート４０に第３ネジ部材３２５を突き当てていることにより、調整後の位置ズレを防止するため、位置ズレを気にせずに容易に行うことができる。以上の方法により、上下方向の調整が完了する。
【０１１０】
図１０は、プロジェクター７の設置位置（姿勢）に対する水平方向の調整方法を示す図であり、図１０（ａ）は、天吊り装置１を前方向（＋Ｘ方向）から見た正面図であり、図１０（ｂ）は、天吊り装置１を斜め前方向（＋Ｘ方向）から見た斜視図である。図１０を参照して、水平方向の調整方法を説明する。
【０１１１】
最初に、図１０に示すように、第１プレート１０の２つの前方向の片部１０４ａ（ネジ孔１０５）に螺合する第１ネジ部材１０６を回動して緩める。次に、プロジェクター７を保持して水平方向（図１０（ｂ）に矢印Ｅで示す）に回転させて、おおよその位置を合わせる。なお、この回転は、第１回動軸Ａ１を中心とした水平方向の回転となる。
【０１１２】
おおよその位置を合わせた後、２つの第１ネジ部材１０６を締めて、対向する第２プレート２０の前方向の片部２０４ａにネジ先端部を突き当てる。次に、第１ネジ部材１０６を更に同方向に回動することにより、第２プレート２０（結果的に、プロジェクター７）を、第１回動軸Ａ１を中心として、水平方向（図１０（ｂ）に矢印Ｃで示す）に回転させて調整を行う。このように、水平方向の調整は、第１ネジ部材１０６の回動量により調整するため、微調整を行うことができる。
【０１１３】
なお、本実施形態の天吊り装置１は、左方向の第１ネジ部材１０６を回動する（締める）ことで、プロジェクター７を水平に左方向に回転させ、右方向の第１ネジ部材１０６を回動する（締める）ことで、プロジェクター７を水平に右方向に回転させる。なお、本実施形態の第１ネジ部材１０６による水平方向の調整範囲は、約−３°〜＋３°としている。
【０１１４】
なお、調整終了後は、第２プレート２０に第１ネジ部材１０６を突き当てていることにより、調整後の位置ズレを防止して固定することができる。以上の方法により、水平方向の調整が完了する。
【０１１５】
図１１は、プロジェクター７の設置位置（姿勢）に対する左右方向の調整方法を示す図であり、図１１（ａ）は、天吊り装置１を左方向（−Ｙ方向）から見た側面図であり、図１１（ｂ）は、天吊り装置１を前方向（＋Ｘ方向）から見た正面図であり、図１１（ｃ）は、天吊り装置１を斜め前方向（＋Ｘ方向）から見た斜視図である。図１１を参照して、左右方向の傾きの調整方法を説明する。
【０１１６】
最初に、図１１（ｂ）に示すように、第３プレート３０の前方向の片部３０７ａの２つのネジ部材ＳＣ３を回動して緩める。次に、図１１（ａ）に示すように、第２ネジ部材３１５のダイヤル部３１７を、図１１（ｃ）に矢印で示すように回動させて、ネジ部３１６の一方の端部３１６ａ端面を、第２プレート本体２０１の下面２０１ｂに突き当てる。そして、更に同方向に回動することにより、第３プレート３０（結果的に、プロジェクター７）を、第２回動軸Ａ２（図１１（ａ）参照）を中心として、左右方向（図１１（ｂ），（ｃ）に矢印Ｆで示す）に回転させて調整を行う。このように、左右方向の傾きの調整は、第２ネジ部材３１５の回動量により調整するため、微調整を行うことができる。
【０１１７】
なお、本実施形態の天吊り装置１は、プロジェクター７を正面方向（＋Ｘ方向）から見た場合、左方向の第２ネジ部材３１５を回動する（締める）ことで、プロジェクター７を時計回転方向とは逆方向に回転させ、右方向の第１ネジ部材１０６を回動する（締める）ことで、プロジェクター７を時計回転方向に回転させる。なお、本実施形態の第２ネジ部材３１５による左右方向の傾きの調整範囲は、約−２．５°〜＋２．５°としている。
【０１１８】
第２ネジ部材３１５を回動して、左右方向の傾きの微調整を行うことで、左右方向の位置を合わせた後、２つのネジ部材ＳＣ３を締め付けて固定する。なお、調整終了後のネジ部材ＳＣ３による締め付けは、第２プレート２０に第２ネジ部材３１５を突き当てていることにより、調整後の位置ズレを防止するため、位置ズレを気にせずに容易に行うことができる。以上の方法により、左右方向の傾きの調整が完了する。
【０１１９】
図１２は、カバー部材６０を第２プレート２０に設置する方法を示す斜視図である。詳細には、図１２（ａ）は、第２カバー６２を第２プレート２０に設置する状態を示す斜視図であり、図１２（ｂ）は、第２カバー６２を第２プレート２０に設置した状態を示す斜視図であり、図１２（ｃ）は、第１カバー６１を第２プレート２０に設置する状態を示す斜視図であり、図１２（ｄ）は、第１カバー６１を第２プレート２０に設置した状態を示す斜視図である。図１〜図４、図１２を参照して、カバー部材６０の構成と、カバー部材６０を天吊り装置１に設置する設置方法に関して説明する。
【０１２０】
カバー部材６０は、天吊り装置１の化粧用および第１プレート１０から第４プレート４０の機構の保護を目的に設置される部材である。カバー部材６０は、第１プレート１０から、プロジェクター７を固定した第４プレート４０までが天井面Ｓに設置され、プロジェクター７の設置位置の微調整が完了した後に取り付けられる。カバー部材６０は、本実施形態では、第１プレート１０から第３プレート３０までの外周部となる側面を、天井面Ｓからプロジェクター７までの範囲で覆う。
【０１２１】
図１、図２に示すように、カバー部材６０は、天吊り装置１の第１プレート１０から第４プレート４０までの調整による可動範囲を避ける大きさで構成されている。また、カバー部材６０は、天吊り装置１の調整を行う際に操作する部材を覆う大きさで構成されている。なお、調整する際に操作を行う部材とは、図４、図５に示すように、水平方向の調整を行う第１ネジ部材１０６と、左右方向の傾きの調整を行う第２ネジ部材３１５およびネジ部材ＳＣ３と、上下方向の調整を行う第３ネジ部材３２５およびネジ部材ＳＣ４である。
【０１２２】
図４に示すように、カバー部材６０は、本実施形態では、天吊り装置１（第１プレート１０〜第３プレート３０）の前方向の側面と左右方向の前側略半分の側面とを覆う第１カバー６１と、後方向の側面と左右方向の後側略半分の側面とを覆う第２カバー６２とで構成されている。第１カバー６１と第２カバー６２とは、本実施形態では、合成樹脂材料で形成される。第１カバー６１と第２カバー６２とは、どちらも平面視でＵ字形状に形成され、また、略対称に形成されている。
【０１２３】
第１カバー６１は、図４に示すように、Ｕ字形状に曲折された略板状の第１カバー本体６１１を有している。この第１カバー本体６１１の下端部には、内側に湾曲しながら下方向（−Ｚ方向）に延出するスカート部６１２が形成されている。また、第１カバー本体６１１の後方向（−Ｘ方向）の両端部近傍には、第１カバー６１を固定部に固定する際に、ネジ部材ＳＣ６を挿通する孔部６１３が１つずつ形成されている。
【０１２４】
第２カバー６２は、第１カバー６１に対してＹＺ面に略対称となるように構成されている。第２カバー６２は、図４に示すように、Ｕ字形状に曲折された略板状の第２カバー本体６２１を有している。この第２カバー本体６２１の下端部には、内側に湾曲しながら下方向（−Ｚ方向）に延出するスカート部６２２が形成されている。また、第２カバー本体６２１の前方向（＋Ｘ方向）に延びる左右方向の側面には、第２カバー６２を固定部に固定する際に、ネジ部材ＳＣ６を挿通する孔部６２３が１つずつ形成されている。
【０１２５】
なお、第２カバー本体６２１およびスカート部６２２の前方向（＋Ｘ方向）の両端部には、それぞれの外面から内側に入った凹部６２４が形成されている。凹部６２４は、第１カバー６１を第２カバー６２に合わせて設置した場合、第１カバー６１の内面側に重なる部分となり、第１カバー６１と第２カバー６２との合わせ目の隙間を隠している。
【０１２６】
次に、カバー部材６０の設置方法に関して説明する。
カバー部材６０は、プロジェクター７の位置調整完了後に設置される。そして、カバー部材６０を設置する際は、プロジェクター７からの画像光の投写を終了させた後に行う。
【０１２７】
カバー部材６０は、本実施形態では、第２プレート２０に構成される固定部に固定される。固定部は、図４に示すように、第２プレート２０の左右方向（Ｙ軸方向）端部に２つずつ形成される片部２０８と、片部２０８に形成されるネジ孔２０９とで構成されている。また、カバー部材６０の設置は、最初に第２カバー６２を設置して、次に第１カバー６１を設置する。
【０１２８】
図１２（ａ）に示すように、第２カバー６２の設置は、天吊り装置１（第１プレート１０〜第３プレート３０）に対して、後方向（第２プレート２０の片部３０７ｂ方向）から、第２カバー６２を、両端部を前方向（＋Ｘ方向）に向けて、矢印で示すように移動させる。前方向に向けて移動させた場合、第２カバー６２は、孔部６２３が、第２プレート２０の後側の片部２０８のネジ孔２０９に相対する位置で止まる。
【０１２９】
次に、図１２（ｂ）に示すように、ネジ部材ＳＣ６を孔部６２３に挿通して、内面側に相対する２つの片部２０８のネジ孔２０９に螺合させて締め付ける。これにより、第２カバー６２が、左右方向で第２プレート２０に固定（設置）される。なお、第２カバー６２を設置することにより、天吊り装置１（第１プレート１０〜第３プレート３０）の後方向の側面と左右方向の後側略半分の側面が覆われる。
【０１３０】
第１カバー６１の設置は、図１２（ｃ）に示すように、天吊り装置１（第１プレート１０〜第３プレート３０）に対して、前方向（第２プレート２０の片部３０７ａ方向）から、第１カバー６１を、両端部を後方向（−Ｘ方向）に向けて、矢印で示すように移動させる。後方向に向けて移動させた場合、第１カバー６１は、孔部６１３が、第２プレート２０の前側の片部２０８のネジ孔２０９に相対する位置で止まる。このとき、第１カバー６１の両端部は、第２カバー６２の凹部６２４の外面側に重なる。
【０１３１】
次に、図１２（ｄ）に示すように、ネジ部材ＳＣ６を孔部６１３に挿通して、内面側に相対する２つの片部２０８のネジ孔２０９に螺合させて締め付ける。これにより、第１カバー６１が、左右方向で第２プレート２０に固定（設置）される。なお、第１カバー６１を設置することにより、天吊り装置１（第１プレート１０〜第３プレート３０）の前方向の側面と左右方向の前側略半分の側面が覆われる。
以上により、図１２（ｄ）、図１、図２に示すように、天吊り装置１（第２プレート２０）へのカバー部材６０の設置（固定）が完了する。
【０１３２】
上述した実施形態によれば、以下の効果が得られる。
【０１３３】
本実施形態の天吊り装置１は、第１プレート１０から第４プレート４０までの４つのプレートにより構成されており、プロジェクター７を天井面Ｓに設置する。また、第１プレート１０と第２プレート２０は、天井面Ｓに設置される。そして、第２プレート２０は、第１プレート１０に係着されて上下方向に回動軸を有して形成される第１回動軸Ａ１を中心に水平方向の調整を行う。また、第３プレート３０は、第２プレート２０に係着されて前後方向に回動軸を有して形成される第２回動軸Ａ２を中心に左右方向の調整を行う。第４プレート４０は、プロジェクター７を固定し、第３プレート３０に係着されて左右方向に回動軸を有して形成される第３回動軸Ａ３を中心に上下方向の調整を行う。このように、第１プレート１０から第４プレート４０までの４つのプレートがそれぞれ係着して天吊り装置１が構成されることにより、天吊り装置１の薄型化を実現することができる。また、第１プレート１０と第２プレート２０との係着で水平方向の調整を行い、第２プレート２０と第３プレート３０との係着で左右方向の調整を行い、第３プレート３０と第４プレート４０との係着で上下方向の調整を行う。従って、プロジェクター７の位置（姿勢）に対し、水平方向、左右方向（左右方向の傾き）、上下方向の微調整を容易で確実に行うことができる。
【０１３４】
本実施形態の天吊り装置１によれば、第１プレート１０は円筒部１０２を備え、第２プレート２０は第１開口部２０２を備え、円筒部１０２と第１開口部２０２との係合により第１回動軸Ａ１を形成する。これにより、第１回動軸Ａ１を容易に形成することができる。
【０１３５】
本実施形態の天吊り装置１によれば、第３プレート３０は、第２プレート２０とのネジ部材ＳＣ２の係合により、第２回動軸Ａ２を形成することで、第２回動軸Ａ２を容易に形成することができる。
【０１３６】
本実施形態の天吊り装置１によれば、第３プレート３０は保持部３０５を備え、第４プレートは支軸４０４を備え、保持部３０５と支軸４０４との係合により第３回動軸Ａ３を形成する。これにより、第３回動軸Ａ３を容易に形成することができる。また、支軸４０４を保持部３０５に保持させることにより、プロジェクター７を固定する第４プレート４０を、容易にまた確実に、第３プレート３０に保持させることができる。また、逆に、第４プレート４０を第３プレート３０から容易にまた確実に、取り外すことができる。
【０１３７】
本実施形態の天吊り装置１によれば、第３プレート３０は、保持部３０５を備えると共に、支軸４０４を保持部３０５に案内する案内部３０６を備えている。これにより、案内部３０６を利用して、支軸４０４を保持部３０５に案内することができるため、更に容易にまた確実に、支軸４０４を保持部３０５に保持させることができる。
【０１３８】
本実施形態の天吊り装置１によれば、プロジェクター７を固定する第４プレート４０に備える支軸４０４を、第３プレート３０に備える保持部３０５に保持させる場合には、目隠し状態で作業を行うことになる。このような状況で作業を行っても、保持部３０５を備える第３プレート３０に孔部３１１（開口部）を備えることにより、保持部３０５に支軸４０４が適正に位置しているか否かを容易に確認することができる。これにより、目隠し状態で支軸４０４を保持部３０５に保持させる作業を行っても、支軸４０４が適正に保持部３０５に保持されているか否かを目視で確認できるため、プロジェクター７を保持部３０５に確実に保持させることができ、天吊り装置１の安全性を向上させることができる。
【０１３９】
なお、保持部３０５に支軸４０４が適正に位置しているか否かを確認可能な孔部３１１を有することは、薄型化が図られて、目隠し状態でプロジェクター７を設置する天吊り装置１においては、大変有効となる。また、本実施形態の孔部３１１の径は、支軸４０４の端面に貼着（または塗布）される白色の部材の径よりも小さく形成されているため、孔部３１１を介して白色の部材が目視できるか否かを確認することで、より確実に判断することができる。これらにより、設置後のメンテナンス性を向上させることができる。
【０１４０】
本実施形態の天吊り装置１によれば、第１回動軸Ａ１を中心として、第１プレート１０に設置された第１ネジ部材１０６を、第２プレート２０に突き当てて回動することにより、水平方向の調整を行うことができる。このように、第１ネジ部材１０６の回動量で調整を行うことにより、水平方向の微調整を実現することができる。また、第１ネジ部材１０６を第２プレート２０に突き当てているため、調整後の位置ズレを防止して、第１プレート１０に対して第２プレート２０を固定することができる。
【０１４１】
本実施形態の天吊り装置１によれば、第２回動軸Ａ２を中心として、第３プレート３０の左右方向に設置された第２ネジ部材３１５を、第２プレート２０に突き当てて回動することにより、左右方向の傾きの調整を行うことができる、このように、第２ネジ部材３１５の回動量で調整を行うことにより、左右方向の傾きの微調整を実現することができる。また、第２ネジ部材３１５を第２プレート２０に突き当てているため、調整後の位置ズレを防止して、第２プレート２０に対して第３プレート３０を固定することができる。
【０１４２】
本実施形態の天吊り装置１によれば、第２ネジ部材３１５は、ダイヤル部３１７を有しており、このダイヤル部３１７を指先で回動することで、第２ネジ部材３１５を回動することができる。従って、左右方向の傾きの微調整を行う際、ダイヤル部３１７を用いて第２ネジ部材３１５を回動することにより、正確に微調整を行うことができると共に、調整作業の効率化を図ることができる。
【０１４３】
本実施形態の天吊り装置１によれば、第２ネジ部材３１５により第２回動軸Ａ２を中心として左右方向の調整を行う際、ネジ部材ＳＣ３を緩めることにより、第２プレート２０に対して第３プレート３０を左右方向に回動可能とさせることができ、また、左右方向の調整終了後に、ネジ部材ＳＣ３を締め付けることにより、第２プレート２０と第３プレート３０とを確実に固定させることができる。なお、ネジ部材ＳＣ３を緩めることにより、第２ネジ部材３１５による微調整前に、大まかな左右方向の調整を行うことができる。また、調整終了後のネジ部材ＳＣ３による締め付けは、第２プレート２０に第２ネジ部材３１５を突き当てていることにより、調整後の位置ズレを防止するため、位置ズレを気にせずに容易に行うことができる。
【０１４４】
本実施形態の天吊り装置１によれば、第３回動軸Ａ３を中心として、第３プレート３０に設置された第３ネジ部材３２５を、第４プレート４０に突き当てて回動することにより、上下方向の調整を行うことができる、このように、第３ネジ部材３２５の回動量で調整を行うことにより、上下方向の微調整を実現することができる。また、第３ネジ部材３２５を第４プレート４０に突き当てているため、調整後の位置ズレを防止して、第３プレート３０に対して第４プレート４０を固定することができる。
【０１４５】
本実施形態の天吊り装置１によれば、第３ネジ部材３２５は、ダイヤル部３２７を有しており、このダイヤル部３２７を指先で回動することで、第３ネジ部材３２５を回動することができる。従って、上下方向の微調整を行う際、ダイヤル部３２７を用いて第３ネジ部材３２５を回動することにより、正確に微調整を行うことができると共に、調整作業の効率化を図ることができる。
【０１４６】
本実施形態の天吊り装置１によれば、第３ネジ部材３２５により第３回動軸Ａ３を中心として上下方向の調整を行う際、ネジ部材ＳＣ４を緩めることにより、第３プレート３０に対して第４プレート４０を上下方向に回動可能とさせることができ、また、上下方向の調整終了後に、ネジ部材ＳＣ４を締め付けることにより、第３プレート３０と第４プレート４０とを確実に固定させることができる。なお、ネジ部材ＳＣ４を緩めることにより、第３ネジ部材３２５による微調整前に、大まかな上下方向の調整を行うことができる。また、調整終了後のネジ部材ＳＣ４による締め付けは、第４プレート４０に第３ネジ部材３２５を突き当てていることにより、調整後の位置ズレを防止するため、位置ズレを気にせずに容易に行うことができる。
【０１４７】
なお、上述した実施形態に限定されず、その要旨を逸脱しない範囲において種々の変更や改良などを加えて実施することが可能である。変形例を以下に述べる。
【０１４８】
前記実施形態の天吊り装置１において、微調整の調整範囲を、水平方向、左右方向、および上下方向で設定している。しかし、微調整の調整範囲はこれに限られず、適宜設定することができる。
【０１４９】
前記実施形態の天吊り装置１において、第１プレート１０に円筒部１０２を備え、第２プレート２０に第１開口部２０２を備えて、円筒部１０２と第１開口部２０２との係合により、第１回動軸Ａ１を形成している。しかし、第１プレート１０に開口部（第１開口部）を備え、第２プレート２０に円筒部を備える構成として、第１回動軸を形成してもよい。
【０１５０】
前記実施形態の天吊り装置１において、第４プレート４０に左右方向に設置される支軸４０４を備え、第３プレート３０に支軸４０４を保持する保持部３０５を備えて、支軸４０４と保持部３０５との係合により、第３回動軸Ａ３を形成している。しかし、第３プレート３０に左右方向に設置される支軸を備え、第４プレート４０に支軸を保持する保持部を備える構成として、第３回動軸を形成してもよい。
【０１５１】
前記実施形態の天吊り装置１において、第１プレート１０に第１ネジ部材１０６を備え（第１プレート１０のネジ孔１０５に第１ネジ部材１０６を螺合させ）て、第１ネジ部材のネジ先端部を第２プレート２０に突き当てて、水平方向の調整を行う構成としている。しかし、第１ネジ部材を第２プレート２０に備え、第１ネジ部材のネジ先端部を第１プレート１０に突き当てて、水平方向の調整を行う構成としてもよい。
【０１５２】
前記実施形態の天吊り装置１において、第３プレート３０に第２ネジ部材３１５を備え、第２プレート２０に第２ネジ部材３１５を突き当てて、左右方向の調整を行う構成としている。しかし、第２プレート２０に第２ネジ部材を備え、第３プレート３０に第２ネジ部材を突き当てて、左右方向の調整を行う構成としてもよい。
【０１５３】
前記実施形態の天吊り装置１において、第２プレート２０にネジ部材ＳＣ３と螺合するネジ孔２０７ａ（螺合部）を備え、第３プレート３０にネジ部材ＳＣ３を案内する長孔部３０９ａを備える構成としている。しかし、第３プレート３０にネジ部材と螺合するネジ孔を備え、第２プレート２０にネジ部材を案内する長孔部を備える構成としてもよい。
【０１５４】
前記実施形態の天吊り装置１において、第３プレート３０に第３ネジ部材３２５を備え、第４プレート４０に第３ネジ部材３２５を突き当てて、上下方向の調整を行う構成としている。しかし、第４プレート４０に第３ネジ部材を備え、第３プレート３０に第３ネジ部材を突き当てて、上下方向の調整を行う構成としてもよい。
【０１５５】
前記実施形態の天吊り装置１において、第３プレート３０にネジ部材ＳＣ４と螺合するネジ孔３１２（螺合部）を備え、第４プレート４０にネジ部材ＳＣ４を案内する長孔部４０８を備える構成としている。しかし、第４プレート４０にネジ部材と螺合するネジ孔を備え、第３プレート３０にネジ部材を案内する長孔部を備える構成としてもよい。
【０１５６】
前記実施形態の天吊り装置１において、第４プレート４０に有する支軸４０４の端面には、確認用に白色の部材が貼着（または塗布）されている。しかし、白色には限られず、他の色を有していてもよい。
【符号の説明】
【０１５７】
１…天吊り装置、７…プロジェクター、１０…第１プレート、２０…第２プレート、３０…第３プレート、４０…第４プレート、１０２…円筒部、１０６…第１ネジ部材、２０２…第１開口部、２０７ａ…ネジ孔、３０２…第２開口部、３０２ｂ…開口部、３０５…保持部、３０６…案内部、３０９ａ…長孔部、３１１…孔部、３１２…ネジ孔、３１５…第２ネジ部材、３１６…ネジ部、３１７…ダイヤル部、３２５…第３ねじ部材、３２６…ネジ部、３２７…ダイヤル部、４０４…支軸、４０８…長孔部、Ａ１…第１回動軸、Ａ２…第２回動軸、Ａ３…第３回動軸、Ｓ…天井面、ＳＣ２，ＳＣ３，ＳＣ４…ネジ部材。
【図１】
0006031805.tif 000002
【図２】
0006031805.tif 000003
【図３】
0006031805.tif 000004
【図４】
0006031805.tif 000005
【図５】
0006031805.tif 000006
【図６】
0006031805.tif 000007
【図７】
0006031805.tif 000008
【図８】
0006031805.tif 000009
【図９】
0006031805.tif 000010
【図１０】
0006031805.tif 000011
【図１１】
0006031805.tif 000012
【図１２】
0006031805.tif 000013